(57)【要約】【課題】  電源コンセント及びレールの配線に対応する複数の導線を互いに干渉せずに配線できる配電装置に用いられる連結装置を提供する。【解決手段】  支え手段がケース内のベース上面より突き出し、ケース内に敷設された中性線、アース線、電源線の一方を他方と干渉せずに高く持ち上げるように設けられる。これにより、複数の導線を互いに干渉せずに交差させながら配置することができ、配線の安全性を高めることができる。【選択図】図４
0003130852.tif 000002
【実用新案登録請求の範囲】
【請求項１】
滑り移動可能なコンセントを載置するレールにより固定コンセントと電気的に接続されてなる移動型配電装置にそなえている複数のレールを互いに電気的に連結するためのものであって、
前記複数のレールを互いに連結し、ベースと該ベースを覆うカバーとから中空状をし、レール連結端にレール数に応じてレール挿入口を複数そなえているケースと、
前記レール内の配線に対応して前記ケース内に複数設けられ、前記挿入口の各々に対応して設けられた端子と、端子間を連結する導線をそなえた導線ユニットと、
をそなえ、
前記ケース内のベース上面に、支え手段が複数立上がり突設されて前記複数の導線ユニットにおける第１または第２の導線ユニットを支持するように設けられていることを特徴とする連結装置。
【請求項２】
前記複数の導線ユニットは前記レール内の配線に応じてさらに、第３の導線ユニットをそなえていることを特徴とする請求項１に記載の連結装置。
【請求項３】
前記レール挿入口として、第１の方向に向くかつ互いに逆向きの２の挿入口と、該第１の方向と同一平面上かつ直交する方向に向く１の挿入口とを有し、
前記複数の支え手段における第１の支え手段は、前記第２の導線ユニットを架空支持するように設けられ、
前記複数の支え手段における第２の支え手段は、前記第１の支え手段により架空支持された前記第２の導線ユニットと干渉せずに前記第３の導線ユニットを架空支持するように設けられていることを特徴とする請求項２に記載の連結装置。
【請求項４】
前記レール挿入口として、第１の方向に向く且つ互いに逆向きの２の挿入口と、該第１の方向と同一平面上かつ直交する方向に平行して互いに逆向きの２の挿入口と、を有し、
前記複数の支え手段における第１の支え手段は、前記第１の導線ユニットを架空支持するように設けられ、
前記複数の支え手段における第３の支え手段は、前記第１の支え手段により架空支持された前記第１の導線ユニットと干渉せずに前記第２の導線ユニットを架空支持するように設けられていることを特徴とする請求項１または２に記載の連結装置。
【請求項５】
前記レール挿入口として、第１の方向に向く且つ前記ケースの同一側の２の挿入口をそなえ、
前記複数の支え手段における第１の支え手段は、前記第２の導線ユニットを架空支持するように設けられ、
前記複数の支え手段における第３の支え手段は、前記第１の支え手段により架空支持された前記第２の導線ユニットと干渉せずに前記第１の導線ユニットを架空支持するように設けられていることを特徴とする請求項１または２に記載の連結装置。
【請求項６】
前記レール挿入口として、第１の方向に向くかつ互いに逆向きの２の挿入口と、該第１の方向と違う平面上かつ直交する方向に向く１の挿入口とを有し、
前記複数の支え手段における第１の支え手段は、前記第２の導線ユニットを架空支持するように設けられ、
前記複数の支え手段における第２の支え手段は、前記第１の支え手段により架空支持された前記第２の導線ユニットと干渉せずに前記第３の導線ユニットを架空支持するように設けられていることを特徴とする請求項２に記載の連結装置。
【請求項７】
前記レール挿入口として、第１の方向に向く１の挿入口と、該第１の方向と同一平面上かつ直交する第２の方向をする１の挿入口と、該第１と第２の方向と直交する第３の方向をする１の挿入口とを有し、
前記複数の支え手段における第１の支え手段は、前記第１の導線ユニットを架空支持するように設けられ、
前記複数の支え手段における第２の支え手段は、前記第１の支え手段により架空支持された前記第１の導線ユニットと干渉せずに前記第３の導線ユニットを架空支持するように設けられていることを特徴とする請求項２に記載の連結装置。
【請求項８】
前記レール挿入口として、第１の方向に向くかつ互いに逆向きの２の挿入口と、該第１の方向と同一平面上かつ直交する第２の方向を向く１の挿入口と、該第１と第２の方向と直交する第３の方向に向く１の挿入口とを有し、
前記複数の支え手段における第１の支え手段は、前記第２の導線ユニットを架空支持するように設けられ、
前記複数の支え手段における第２の支え手段と第３の支え手段は、前記第１の支え手段により架空支持された前記第２の導線ユニットと干渉せずに前記第３の導線ユニットと前記第１の導線ユニットを架空支持するように設けられていることを特徴とする請求項２に記載の連結装置。
【請求項９】
前記レール挿入口として、第１の方向をする１の挿入口と、該第１の方向と違う平面上かつ直交する方向に向く１の挿入口とを有し、
前記複数の支え手段における第１の支え手段は、前記第２の導線ユニットを架空支持するように設けられ、
前記複数の支え手段における第２の支え手段は、前記第１の支え手段により架空支持された前記第２の導線ユニットと干渉せずに前記第３の導線ユニットを架空支持するように設けられていることを特徴とする請求項２に記載の連結装置。
【請求項１０】
前記支え手段としては、ブラケット台が前記導線ユニットをブリッジ状に架け渡すよう前記ベース上面より立ち上がり形成され、ブラケット台にそれぞれ導線ユニットの対応する導線を定位する保持溝が設けられていることを特徴とする請求項１〜９のいずれか１項に記載の連結装置。
【請求項１１】
前記レールに設けられて配線が装着されている複数のレール溝における第１のレール溝と第２のレール溝は溝幅が異なり、
前記ケースの前記挿入口側に突起が、その横幅が前記異なった溝幅における幅広なレール溝より狭く且つ幅狭なレール溝より広いよう形成されていることを特徴とする請求項１〜１０のいずれか１項に記載の連結装置。
【請求項１２】
前記レールの前記挿入口側の挿入端部に第１の係止部が設けられ、
前記ケースの挿入口に前記第１の係止部に対応して係止できる第２の係止部が設けられていることを特徴とする請求項１乃至１１のいずれか１項に記載の連結装置。
【考案の詳細な説明】
【技術分野】
【０００１】
本考案は、一般住宅や事務所などの建物の壁面に配置され、レールにより固定コンセントに電気的に接続される移動型配電装置にそなえている２以上のレールを電気的に連結するための連結装置に関する。
【背景技術】
【０００２】
従来、電源コンセントは、住宅や事務所などの建物の壁面例えば床面に近い所に予め配設されるのが一般的であるが、テレビやＯＡ器具などの電気器具の配置箇所やコードの長さの制限により電気器具を勝手に所期の位置に配置することができない欠点がある。
【０００３】
このような問題を解決するため、壁面の左右横方向、上下縦方向に沿って延びた取付レールに滑動可能に設けられたコンセントを、屋内配線された電源コンセントに電気的に連結した配電装置が用いられている。
【０００４】
コンセントは、本体内に通常電源線（又はホットライン）、中性線（又はコールドライン）とアース線（または接地線）が設けられる。取付レールはコンセントに対応して、中性線（コールドライン）と電源線（ホットライン）とアース線（接地線）をそれぞれ設け、連結装置によりコンセントとレールとが電気的に連結されている。
【考案の開示】
【考案が解決しようとする課題】
【０００５】
上記例の移動型配電装置によれば、電気器具のコードの長短や配置箇所に制限されず電気器具の配置自由度を高めることができるが、なおも下記のような改善する余地がある。
【０００６】
連結装置では、筐体内にも電源コンセント及びレールの中性線、アース線、電源線に対応する複数の導線ユニットを配線しており、複数のレールを１つの連結装置により繋ぎ合せるとき、短絡・漏電の危険をもたらさないように用心して中性線、アース線、電源線を互いに干渉せずに交差させながら配線しなければならない。
【課題を解決するための手段】
【０００７】
本考案は、上記問題点に鑑みてなされたものであり、電源コンセント及びレールの配線に対応する複数の導線を互いに干渉せずに配線できる配電装置に用いられる連結装置を提供することを目的とする。
【０００８】
本考案は、上記目的を達成すべく、滑り移動可能なコンセントを載置するレールにより固定コンセントと電気的に接続されてなる移動型配電装置にそなえている複数のレールを互いに電気的に連結するための連結装置を提供しようとする。
【０００９】
この連結装置は、複数のレール間を互いに連結し、ベースと該ベースを覆うカバーとから筐体状をし、レール連結側にレール数に対応してレール挿入口を複数そなえているケースと、レール内の配線に対応してケース内に複数設けられ、挿入口の各々に臨んで設けた端子と、端子間を連結する導線をそなえた導線ユニットとをそなえ、ケース内のベース面に、支え手段が複数立上がり突設されて複数の導線ユニットにおける第１または第２の導線ユニットを支持するように設けられている構成とする。
【００１０】
前記連結装置は、また複数の導線ユニットはレール内の配線に対応してさらに、第３の導線ユニットをそなえることができる。
【００１１】
前記連結装置は、レール挿入口として、第１の方向に向く且つ互いに逆向きである２の挿入口と、該第１の方向と同一平面上且つ直交する方向に向く１の挿入口とをそなえるようにし、複数の支え手段における第１の支え手段は、第２の導線ユニットを架空支持するように設けられ、複数の支え手段における第２の支え手段は、第１の支え手段により支持された第２の導線ユニットと干渉せずに第３の導線ユニットを架空支持するように設けられるようにすることもできる。
【００１２】
前記連結装置は、また、レール挿入口として、第１の方向に向く且つ互いに逆向きである２の挿入口と、該第１の方向と同一平面上且つ直交する方向に逆向きの２の挿入口とをそなえ、複数の支え手段における第１の支え手段は、第１の導線ユニットを架空支持するように設けられ、複数の支え手段における第３の支え手段は、第１の支え手段により支持された第１の導線ユニットと干渉せずに第２の導線ユニットを架空支持するように設けるようにしてもよい。
【００１３】
前記連結装置は、また、レール挿入口として、ケースの同一側の第１の方向に向く２の挿入口をそなえ、複数の支え手段における第１の支え手段は、第２の導線ユニットを架空支持するように設けられ、複数の支え手段における第３の支え手段は、第１の支え手段により支持された第２の導線ユニットと干渉せずに第１の導線ユニットを架空支持するように設けるようにしてもよい。
【００１４】
前記連結装置は、また、レール挿入口として、第１の方向に向く且つ互いに逆向きの２の挿入口と、該第１の方向と違う平面上かつ直交する方向をする１の挿入口とをそなえ、複数の支え手段における第１の支え手段は、第２の導線ユニットを架空支持するように設けられ、複数の支え手段における第２の支え手段は、第１の支え手段により支持された第２の導線ユニットと干渉せずに第３の導線ユニットを架空支持するように設けるようにしてもよい。
【００１５】
前記連結装置は、また、レール挿入口として、第１の方向に向く１の挿入口と、該第１の方向と同一平面上かつ直交する第２の方向に向く１の挿入口と、該第１と第２の方向と直交する第３の方向をする１の挿入口とをそなえ、複数の支え手段における第１の支え手段は、第１の導線ユニットを架空支持するように設けられ、複数の支え手段における第２の支え手段は、第１の支え手段により支持された第１の導線ユニットと干渉せずに第３の導線ユニットを架空支持するように設けるようにしてもよい。
【００１６】
前記連結装置は、また、レール挿入口として、第１の方向に向くかつ互いに逆向きの２の挿入口と、該第１の方向と同一平面上かつ直交する第２の方向をする１の挿入口と、該第１と第２の方向と直交する第３の方向に向く１の挿入口とをそなえ、複数の支え手段における第１の支え手段は、第２の導線ユニットを架空支持するように設けられ、複数の支え手段における第２の支え手段と第３の支え手段は、第１の支え手段により架空支持された第２の導線ユニットと干渉せずに第３の導線ユニットと第１の導線ユニットを架空支持するように設けるようにしてもよい。
【００１７】
前記連結装置は、また、レール挿入口として、第１の方向をする１の挿入口と、該第１の方向と違う平面上かつ直交する方向に平行する１の挿入口とをそなえ、複数の支え手段における第１の支え手段は、第２の導線ユニットを架空支持するように設けられ、複数の支え手段における第２の支え手段は、第１の支え手段により支持された第２の導線ユニットと干渉せずに第３の導線ユニットを架空支持するように設けるようにしてもよい。
【００１８】
さらに、前記連結装置は、支え手段としては、ブラケット台が導線ユニットをブリッジ状に架け渡すようベース上面より立上がり形成され、ブラケット台にそれぞれ導線ユニットの対応する導線を定位する保持溝が設けられることが好ましい。
【００１９】
そして、レールに設けられて配線が装着されている複数のレール溝における第１のレール溝と第２のレール溝は溝幅が異なり、挿入口に挿入される突起がその横幅が異なった溝幅における幅広なレール溝より狭く、幅狭なレール溝より広いように形成されることが好ましい。
【００２０】
さらに、レールの前記挿入口側の挿入端部に第１の係止部が設けられ、前記ケースの挿入口に前記第１の係止部に対応して係止できる第２の係止部が設けられることが好ましい。
【考案の効果】
【００２１】
本連結装置によれば、支え手段がケース内のベース上面より突き出し、ケース内に敷設された中性線、アース線、電源線の一方を他方と干渉せずに高く持ち上げるように設けられるので、複数の導線を互いに干渉せずに交差させながら配置することができ、配線の安全性を高めることができる。また、複数のレール溝における第１のレール溝と第２のレール溝は溝幅を異ならせ、連結装置の挿入口に設けられる突起を所定のレール溝に挿入することができるので、うっかり間違えることなく所定の配線されたレールと連結することができ、使用上の安全性を高めることができる。また、レールと連結装置に互いに対応して係止可能な係止部を形成するので、レール間の電気的接続性を強め、断線の危険性を低減することができる。
【考案を実施するための最良の形態】
【００２２】
以下、本考案の第１の実施形態の連結装置を図面を用いて説明する。図１は、本考案の連結装置１を用いた移動型配電装置１０を概略して示す平面図である。図２は、図１の部分底面斜視図である。移動型配電装置１０は、１以上のソケット１２を滑り移動可能に設けた複数のレール１１、１１、・・・を継ぎ手段１３を介して電源コンセント１４に電気的に接続されており、複数のレール１１、１１、・・・の間は本考案の連結装置１を介して連結されている。
【００２３】
レール１１は、例えば家内の壁面に設けられるものであり、レール台１１１が長手に延伸してなり、レール台１１１上に電源コンセント１４内の配線例えば電源線、中性線、アース線に対応してリード線１１２、１１３、１１４を設け、該レール台１１１上にリード線１１２、１１３、１１４をそれぞれ保持する複数のレール溝１１５、１１６、１１７が形成されている。また、だれによっても配線を正確に行うことができるように、例えばレール溝１１５はその溝幅Ｗ１が、レール溝１１６の溝幅Ｗ２とを異ならせるよう形成される。この例では、連結端の溝幅Ｗ１としては溝幅Ｗ２よりも小である。また、レール１１を連結装置１と安定に連結するように、レール台１１１上に例えば溝１１５、１１６の溝面に、凹穴または通孔１１０、１１０を係止部として開いてある。
【００２４】
図３は、同連結装置１とレール１１の斜視図である。図４は、連結装置１の分解斜視図である。
【００２５】
連結装置１は、ケース２によりレール１１、１１、・・・を連結し、該ケース２はベース２１と該ベース２１を覆って配線スペースを画成するカバー２２とから中空状をし、該スペースに連通するそれぞれのレール１１、１１、・・・を繋ぎ合せるレール挿入口２０、２０、・・・を有している。なお、この例においては、ケース２として全体に３の挿入口２０、２０、２０を有するＴの字形をしている。つまり、挿入口２０としてＸ方向に向く且つ互いに逆向きの２の挿入口２０、２０と、Ｘ方向と同一平面上且つ直交するＹ方向をする挿入口２０とをそなえている。この例では、挿入口２０はベースを切り欠いて形成される。
【００２６】
カバー２２は外面２２１の周りに枠壁２２２が設けれ、外面２２１の挿入口２０側の区域には、配線種類の情報を示す文字Ｌ（電源線）、Ｇ（アース線）、Ｎ（中性線）が付けられている。
【００２７】
挿入口２０側のカバー２２の下面２２３に、突起２２４がその横幅Ｗが異なった溝幅Ｗ１、Ｗ２における幅広なレール溝の溝幅Ｗ２とほぼ同一又はややより狭く、幅狭なレール溝の溝幅Ｗ１より広いように突出し形成される。
【００２８】
この例では、ケース２のカバー２２の挿入口２０側にまた、レール１１との連結を強めるために、レール１１の通孔１１０、１１０に対応して脱着可能に係止するフック２２５、２２５が設けられている。
【００２９】
第１の導線ユニット３は、例えば電源線ユニットまたは中性線ユニットとしてケース２内に設けられ、対応するレール１１内に設けられた対応リード線と電気的に接続され、挿入口２０側に設けられた複数の第１の端子３１，３２，３３と第１の端子３１、３２、３３の間を接続すると共に互いに継ぎ端子３４を介して連結している電源線または中性線である第１の導線３５と該第１の導線３５と直交する第１の導線３６とをそなえている。この例では、第１の導線３５は例えば第１の方向とするＸ方向に沿って設けられ、第１の導線３６は第２の方向即ちＸ方向と同一平面上且つ直交するＹ方向に沿って設けられている。
【００３０】
第２の導線ユニット４は、例えば中性線ユニットまたは電源線ユニットとしてケース２内に設けられ、対応するレール１１内に設けられた対応リード線と電気的に接続され、挿入口２０側に設けられた複数の第２の端子４１，４２，４３と第２の端子４１、４２、４３の間を接続すると共に互いに継ぎ端子４４を介して連結している第２の導線４５と該第２の導線４５と直交する第２の導線４６とをそなえている。この例では、第２の導線４５は例えば第１の方向とするＸ方向に沿って設けられ、第２の導線４６は第２の方向即ちＸ方向と同一平面上かつ直交するＹ方向に沿って設けられている。
【００３１】
この例ではさらにアース線ユニットとする第３の導線ユニット５がケース２内に設けられ、レール１１内の対応リード線と電気的に接続され、挿入口２０側に設けられた複数の第３の端子５１，５２，５３と第３の端子５１，５２，５３の間を接続すると共に互いに継ぎ端子５４を介して連結している第３の導線５５と該第３の導線５５と直交する第３の導線５６とをそなえている。この例では、第３の導線５５は例えば第１の方向とするＸ方向に沿って設けられ、第１の導線５６は第２の方向即ちＸ方向と同一平面上かつ直交して設けられている。
【００３２】
ケース２内のベース上面２１１上に設けられ、第２の導線ユニット４と第３の導線ユニット５とを架空支持する支え手段２３、２４としては、図５に示すようにブラケット台２３１、２３１、２４１がベース上面２１１より突出し導線ユニット４、５を互いに干渉せずにブリッジ状に高く持ち上げるように形成され、ブラケット台２３１、２３１にそれぞれ導線ユニット４、５の対応する導線例えば導線４６、５６を定位する保持溝２３２、２３２、２４２が例えばＹ方向に沿って凹設される。
【００３３】
この例では、支え手段２３により図５に示すように、導線４６の高く持ち上げた線段４６１により第１の導線３５、第３の導線５５を越えることができる。支え手段２４によって導線５６の高く持ち上げた線段５６１により第１の導線３５を越えることができる。
【００３４】
このようにして、連結装置１内において第１、第２、第３の導線ユニット３、４、５を互いに干渉せずに配置でき、使用上の安全性を損なわずに配線作業を行うことができる。
【００３５】
図６は本考案の他の形態例の連結装置１Ａを示す斜視図である。前記実施形態例による連結装置１と同一の構成要素には、同一の符号を付して説明を省略または簡潔にする。前記実施形態の連結装置１と違って、この実施形態の連結装置１Ａでは、ケース２はＸ方向とＹ方向に沿って延伸して十字形に形成され、挿入口２０としてＸ方向に沿って互いに逆向きをする挿入口２０、２０と、Ｙ方向且つ互いに逆向きをする挿入口２０、２０とをそなえている。
【００３６】
この例では、第１の支え手段２３と第３の支え手段２５とはベース上面２１１から複数突出しそれぞれ第１と第２の導線ユニット３、４を干渉せずに架け上げるようになる。
【００３７】
この形態例の連結装置１Ａでは、前記形態例と同様に、第１、第２、第３の導線ユニット３、４、５をも互いに干渉せずに配置でき、安全性を損なわずに配線作業を行うことができる。
【００３８】
図７は本考案の他の形態例の連結装置１Ｂを示す斜視図である。前記実施形態例による連結装置１等と同一の構成要素には、同一の符号を付して説明を省略または簡潔にする。前記実施形態の連結装置と違って、この実施形態の連結装置１Ｂでは、ケース２はＵ字形に形成され、挿入口２０としてＸ方向かつ同一側をする挿入口２０と２０をそなえている。
【００３９】
この例では、第１の支え手段２３と第３の支え手段２５とはベース上面２１１から複数突出しそれぞれ第２と第１の導線ユニット４、３を干渉せずに架空支持するようにする。
【００４０】
この形態例の連結装置１Ｂでも、前記形態例と同様に、第１、第２、第３の導線ユニット３、４、５を互いに干渉せずに配置でき、安全性を損なわずに配線作業を行うことができる。
【００４１】
図８は本考案の他の形態例の連結装置１Ｃを用いた配電装置を示す斜視図である。図９は、同連結装置１Ｃの分解斜視図である。前記実施形態による連結装置等と同一の構成要素には、同一の符号を付して説明を省略または簡潔にする。前記実施形態の連結装置等と違って、この実施形態の連結装置１Ｃでは、図９に示すように、ケース２のベース２１とカバー２２との一部が立ち上がりＺ方向に沿って延伸して形成され、挿入口２０としてＸ方向且つ互いに逆向きである挿入口２０、２０と、Ｘ方向とＹ方向との２方向に直交する第３の方向のＺ方向に配置される挿入口２０とをそなえている。第１と第２と第３の導線ユニット３、４、５の導線３６、４６、５６もＺ方向に立ち上がっている。
【００４２】
この例では、第１の支え手段２３と第２の支え手段２４とはベース上面２１１から複数突出しそれぞれ第２と第３の導線ユニット４、５を互いに干渉せずに架け上げるようになる。
【００４３】
この形態例の連結装置１Ｃでは、前記形態例と同様に、第１、第２、第３の導線ユニット３、４、５をも互いに干渉せずに配置でき、安全性を損なわずに配線作業を行うことができる。
【００４４】
図１０は本考案の他の形態例の連結装置１Ｄを概略示す斜視図である。前記実施形態による連結装置等と同一の構成要素には、同一の符号を付して説明を省略または簡潔にする。前記実施形態の連結装置等と違って、この実施形態の連結装置１Ｄでは、挿入口２０としてＸ方向をする挿入口２０ｘと、Ｘ方向と同一平面上かつ直交するＹ方向に設けられた挿入口２０と、Ｘ、Ｙ方向と直交するＺ方向をする挿入口２０とをそなえている。第１と第２と第３の導線ユニット３、４、５の導線３６、４６、５６もＺ方向に立ち上がっている。
【００４５】
この例では、第３の導線ユニット５は支え手段２４により高く持ち上げる一方、第１の導線ユニット３は支え手段２３によりブリッジ状に架空支持する。
【００４６】
この形態例の連結装置１Ｄでは、前記形態例と同様に、第１、第２、第３の導線ユニット３、４、５をも互いに干渉せずに配置でき、安全性を損なわずに配線作業を行うことができる。
【００４７】
図１１は本考案の他の形態例の連結装置１Ｅを概略示す斜視図である。前記実施形態による連結装置等と同一の構成要素には、同一の符号を付して説明を省略または簡潔にする。前記実施形態の連結装置等と違って、この実施形態の連結装置１Ｅでは、挿入口２０としてＸ方向をする挿入口２０と、Ｘ方向と同一平面上かつ直交するＹ方向をする挿入口２０と、Ｘ、Ｙ方向と直交するＺ方向に向く挿入口２０とをそなえている。第１と第２と第３の導線ユニット３、４、５の導線３５、４５、５５はＸ方向に沿って延伸すると共に、継ぎ端子を介して交差して連結される導線３６、４６、５６はＹ方向に沿って延伸して、Ｚ方向に立ち上がるようにする。
【００４８】
この例では、第１の導線ユニット３と第２の導線ユニット４と第３の導線ユニット５とはそれぞれ、支え手段２３、２５、２４により互いに干渉せずにブリッジ状に持ち上げている。
【００４９】
この形態例の連結装置１Ｅも、前記形態例と同様に、第１、第２、第３の導線ユニット３、４、５を互いに干渉せずに配置でき、安全性を損なわずに配線作業を行うことができる。
【００５０】
図１２は本考案の他の形態例の連結装置１Ｆを概略示す斜視図である。前記実施形態による連結装置等と同一の構成要素には、同一の符号を付して説明を省略または簡潔にする。前記実施形態の連結装置等と違って、この実施形態の連結装置１Ｆでは、挿入口２０としてＸ方向をする挿入口２０と、Ｘ、Ｙ方向と直交するＺ方向をする挿入口２０とをそなえている。第１と第２と第３の導線ユニット３、４、５では、導線３５、４５、５５はベース上面２１１のＸ方向に沿って延伸してＺ方向に立ち上げている。
【００５１】
この例では、第２の導線ユニット４と第３の導線ユニット５は支え手段２３と２４によりブリッジ状に持ち上がるようにする。
【００５２】
この形態例の連結装置１Ｆでは、前記形態例と同様に、第１、第２、第３の導線ユニット３、４、５をも互いに干渉せずに配置でき、使用上の安全性を損なわずに配線作業を行うことができる。
【００５３】
以上のように、本考案の連結装置によれば、レール内の配線との接続を速やかに行い、壁面への配置自由度を高めることができる。
【産業上の利用可能性】
【００５４】
本考案の連結装置によれば、移動型配電装置のレールを電気的に連結する連結装置に有用である。
【図面の簡単な説明】
【００５５】
【図１】本考案の連結装置を用いた移動型配電装置を概略して示す平面図である。
【図２】図１の連結装置とレールの斜視図である。
【図３】図１の部分底面斜視図である。
【図４】図１の連結装置の分解斜視図である。
【図５】図４の支え手段の斜視図である。
【図６】他の形態例の連結装置を示す分解斜視図である。
【図７】他の形態例の連結装置を示す分解斜視図である。
【図８】本考案の他の形態例の連結装置を用いた移動型配電装置を示す斜視図である。
【図９】図８の連結装置の分解斜視図である。
【図１０】他の形態例の連結装置を示す分解斜視図である。
【図１１】他の形態例の連結装置を示す分解斜視図である。
【図１２】他の形態例の連結装置を示す分解斜視図である。
【符号の説明】
【００５６】
１０      移動型配電装置
１、１Ａ〜１Ｆ      連結装置
１１      レール
１１０    通孔
１１１    レール台
１１２、１１３、１１４      リード線
１１５、１１６、１１７      レール溝
１２      ソケット
１３      継ぎ手段
１４      電源コンセント
２        ケース
２０      レール挿入口
２１      ベース
２１１    ベース上面
２２      カバー
２２１    外面
２２２    枠壁
２２３    下面
２２４    突起
２２５    フック
２３、２４、２５            支え手段
２３１、２４１              ブラケット台
２３２、２４２              保持溝
３、４、５                  導線ユニット
３１、３２、３３、４１、４２、４３、５１、５２、５３      端子
34、４４、５４              継ぎ端子
35、３６、４５、４６、５５、５６      導線
361、４６１、５６１        線段
Ｗ、Ｗ１、Ｗ２            幅
【図１】
0003130852.tif 000003
【図２】
0003130852.tif 000004
【図３】
0003130852.tif 000005
【図４】
0003130852.tif 000006
【図５】
0003130852.tif 000007
【図６】
0003130852.tif 000008
【図７】
0003130852.tif 000009
【図８】
0003130852.tif 000010
【図９】
0003130852.tif 000011
【図１０】
0003130852.tif 000012
【図１１】
0003130852.tif 000013
【図１２】
0003130852.tif 000014